(57)【特許請求の範囲】
【請求項１】
オフフック検出回路を接続し、待機時には電圧発生回路から直流電圧が供給される第２の電話端子と、外線端子と、ＦＡＸモデムとを備えたファクシミリ通信装置において、
上記第２の電話端子に接続される外部端末装置から送出されて来る選択信号の種別としてダイヤルパルス又はデュアルトーン多周波信号を設定する設定手段と、
複数の制御リレーを切換制御することによって、選択信号を検出する経路を自動的に切り換える切換手段とを備え、
上記オフフック検出回路が上記第２の電話端子に接続される外部端末装置のオフフックを検出したときに、上記設定手段が参照され、設定されている選択信号の種別がダイヤルパルスであるときには、上記電圧発生回路から上記第２の電話端子に直流電圧を供給した状態で、上記オフフック検出回路でダイヤルパルスを検出し、その後に、上記第２の電話端子を上記ＦＡＸモデムに接続するように、上記切換手段の複数の制御リレーが切換制御される一方、
上記参照によって、設定されている選択信号の種別がデュアルトーン多周波信号であるときには、上記電圧発生回路を上記第２の電話端子から切り離すとともに、上記第２の電話端子を上記ＦＡＸモデムに接続し、上記ＦＡＸモデムでデュアルトーン多周波信号を検出するように、上記切換手段の複数の制御リレーが切換制御される構成にしているファクシミリ通信装置。
【請求項２】
請求項１において、
上記ＦＡＸモデムが上記第２の電話端子に接続された外部端末装置から送出されて来るファクシミリ通信手順信号を判別した結果に基づいて、ＰＣプリント処理あるいはＰＣスキャン処理を自動的に起動する構成にしているファクシミリ通信装置。
【請求項３】
請求項２において、
上記オフフック検出回路が上記第２の電話端子のオフフックを検出してから所定時間が経過するまでの間に、上記第２の電話端子に接続された外部端末装置から上記選択信号を検出しなかったときには、上記第２の電話端子を上記外線端子に接続するように、上記切換手段の制御リレーを切換えて、上記外部端末装置による外線への発呼、通信を可能にする構成にしているファクシミリ通信装置。
【発明の詳細な説明】
【０００１】
【発明の属する技術分野】
本発明は、通信ケーブルを介して接続したコンピュータ等の外部端末装置との通信をも可能とするファクシミリ装置等の通信端末装置に関する。
【０００２】
【従来の技術】
従来から、通信端末装置の１つであるファクシミリ装置は、画像データを送受信する目的で、広く一般家庭にも普及しており、一方、パーソナルコンピュータ（以下「パソコン」という）等の端末装置も多機能のものが開発され、様々な用途に使用されるようになっている。
【０００３】
このような両者の普及に伴い、近時では、ファクシミリ装置にパソコンを外部端末装置として接続し、双方の連動が可能になったものが開発されている。
この種のファクシミリ装置は、読取走査した画像データをパソコン側に伝送すれば、パソコンのスキャナとして機能し（以下、この機能を「ＰＣスキャン」という。）、パソコンにおいて画像データの加工、修正が可能になる。また、逆に、パソコン側で作成した画像データをファクシミリ装置に伝送すれば、このファクシミリ装置はパソコンのプリンタとして機能し（以下、この機能を「ＰＣプリント」という。）、ファクシミリ装置に予めセットされている所定の記録紙に画像データを印字出力できる。
【０００４】
また、ファクシミリ装置が外線として接続する回線の種別は２つあり、交換機の設定がそれぞれ異なるため、その設定を予めスイッチ操作などで行っておく必要がある。すなわち、選択信号にダイヤルパルス（以下「ＤＰ」という）を使用するダイヤル回線、選択信号にデュアルトーン多周波信号（以下「ＤＴＭＦ」という）を使用するプッシュ回線のいずれかを、回線種別（選択信号の種別）として設定しておく必要がある。
【０００５】
これに伴って、上記ファクシミリ装置には、パソコン側からでもこのファクシミリ装置を介した外線との通信を行うため、通信ケーブルを通じて送出されて来るＤＰあるいはＤＴＭＦを検出する機能を備える必要があるが、従来のファクシミリ装置には、パソコン側から送出されて来る選択信号の種別を設定する手段を設けておらず、通信ケーブルを通じて送出されて来るＤＴＭＦはモデム側で検出できるが、ＤＰを検出するために、この通信ケーブルを接続した接続端子に直流電圧を常に供給しておく必要があった。
【０００６】
【発明が解決しようとする課題】
このように、従来のファクシミリ装置等の通信端末装置では、待機時は、パソコン等の外部端末装置を接続した接続端子側に直流電圧を常に供給しているため、外部端末装置から送出されて来る選択信号が、予めＤＴＭＦに決まっている場合には、不要な電力を消費する結果になっていた。
【０００７】
また、ＤＰとＤＴＭＦのいずれが送出されて来た場合でも対処できるようにしているため、ソフト処理や回路構成などが複雑になっていた。
本発明は上記事情に鑑みて提案されたものであり、外部端末装置から送出されて来る選択信号の種別を予め設定できるようにして、選択信号を検出するための処理、構成を簡易にした通信端末装置を提供することを目的とする。
【０００８】
【課題を解決するための手段】
上記目的を達成するために提案された請求項１に記載のファクシミリ通信装置は、オフフック検出回路を接続し、待機時には電圧発生回路から直流電圧が供給される第２の電話端子と、外線端子と、ＦＡＸモデムとを備えたファクシミリ通信装置において、上記第２の電話端子に接続される外部端末装置から送出されて来る選択信号の種別としてダイヤルパルス又はデュアルトーン多周波信号を設定する設定手段と、複数の制御リレーを切換制御することによって、選択信号を検出する経路を自動的に切り換える切換手段とを備え、上記オフフック検出回路が上記第２の電話端子に接続される外部端末装置のオフフックを検出したときに、上記設定手段が参照され、設定されている選択信号の種別がダイヤルパルスであるときには、上記電圧発生回路から上記第２の電話端子に直流電圧を供給した状態で、上記オフフック検出回路でダイヤルパルスを検出し、その後に、上記第２の電話端子を上記ＦＡＸモデムに接続するように、上記切換手段の複数の制御リレーが切換制御される一方、上記参照によって、設定されている選択信号の種別がデュアルトーン多周波信号であるときには、上記電圧発生回路を上記第２の電話端子から切り離すとともに、上記第２の電話端子を上記ＦＡＸモデムに接続し、上記ＦＡＸモデムでデュアルトーン多周波信号を検出するように、上記切換手段の複数の制御リレーが切換制御される構成にしている。
【０００９】
ここに、選択信号の種別には、直流信号が断続するダイヤルパルス（ＤＰ）と、２つの周波数の信号が混ざっているデュアルトーン多周波信号（ＤＴＭＦ）とがあり、通常は、外線に対して設定している種別と同じ種別に設定して、外部端末装置と、ファクシミリ通信装置を介した外線との通信が、信号の変換処理などを行わずにできるようにしている。このため、上記設定手段に、従来の回線種別の設定スイッチを使用してもよい。
【００１０】
請求項２に記載のファクシミリ通信装置は、請求項１において、上記ＦＡＸモデムが上記第２の電話端子に接続された外部端末装置から送出されて来るファクシミリ通信手順信号を判別した結果に基づいて、ＰＣプリント処理あるいはＰＣスキャン処理を自動的に起動する構成にしている。
また、請求項３に記載のファクシミリ装置は、請求項２において、上記オフフック検出回路が上記第２の電話端子のオフフックを検出してから所定時間が経過するまでの間に、上記第２の電話端子に接続された外部端末装置から上記選択信号を検出しなかったときには、上記第２の電話端子を上記外線端子に接続するように、上記切換手段の制御リレーを切換えて、上記外部端末装置による外線への発呼、通信を可能にする構成にしている。
【００１１】
これによって、通信ケーブルを、従来、外付け電話を接続していた接続端子に接続し、ダイヤルパルスの検出を、既存の回路であるオフフック検出回路で行うことが出来る。一方、ＤＴＭＦは、モデム側に設けられたＤＴＭＦレシーバによって検出される。
【００１２】
【発明の実施の形態】
以下に、図面とともに本発明の実施の形態について説明する。
図１，２は、本発明装置の基本構成の一例を示したブロック図であり、図１中にＤＰを検出する経路、図２中にＤＴＭＦを検出する経路のそれぞれを、太線で示している。
【００１３】
また、図３は本発明装置を備えた通信システムの概略構成を示した図であり、ファクシミリ装置１は、接続端子Ｔ１（外線端子）に、電話網、ファクシミリ通信網、コンピュータ通信網などの外線Ｌを接続し、接続端子Ｔ２（第１の電話端子）に付属電話３を接続し、更に、従来、外付け電話を接続していた接続端子Ｔ３（第２の電話端子）に、通信ケーブルＣを介し、外部端末装置としてパソコン２を接続している。
【００１４】
このような構成によって、このファクシミリ装置１では、接続端子Ｔ１，Ｔ３の接続を切り換えることなく、外線Ｌあるいは、ＰＣモデム２１（パソコンモデム）を備えたパソコン２の双方とで、Ｇ３、Ｇ４などの通常のファクシミリ通信手順によって通信ができるようになっている。また、パソコン２側でも、ファクシミリ装置１を介して外線Ｌとのデータ通信が可能になっている。
【００１５】
図１，２において、１１はファクシミリ通信手順を実行するために、プロトコル信号の発生及び検出を行い、送受信する画像データの変調及び復調を行うＦＡＸモデム、１２は外線Ｌからの呼出信号（１６Ｈｚ）を検出する呼出信号検出回路、１３はオフフック検出などのために、接続端子Ｔ２，Ｔ３に対し、直流電圧（ＤＣ２４Ｖ）を供給する電圧発生回路である。
【００１６】
この電圧発生回路１３から、ＨリレーＲＹｈを介して接続端子Ｔ２（付属電話３）に直流電圧を供給するとともに、ＬリレーＲＹｌを介して接続端子Ｔ３に直流電圧を供給して、付属電話３、あるいは、パソコン２側のＰＣモデム２１の動作を、外線Ｌとの接続が切り離された場合でも検出できるようにしている。
また、接続端子Ｔ２，Ｔ３のそれぞれには、直流電流が流れることによってハンドセットの取り上げ等を検出するオフフック検出回路１４ａ，１４ｂが接続されている。
【００１７】
次に、回線の接続制御のために備えられた各種制御リレーについて説明すると、ＣＭＬリレーＲＹｃは、ＦＡＸモデム１１に接続された回線トランスＴを、外線Ｌあるいはパソコン２側に対して接続制御するものであり、オン状態になればＦＡＸモデム１１は外線Ｌあるいはパソコン２に接続され、回線トランスＴを介して、外部の通信端末装置あるいはパソコン２との通信が可能になる。
【００１８】
ＴリレーＲＹｔは、外線Ｌの接続を、ＦＡＸモデム１１あるいはパソコン２と接続制御するものであり、外線Ｌはオン状態では切り離され、オフ状態では接続される。
ＬリレーＲＹｌは、パソコン２の接続を、電圧発生回路１３と、外線ＬあるいはＦＡＸモデム１１との間で切換制御するものであり、オフ状態では外線ＬあるいはＦＡＸモデム１１に接続されており、オン状態になれば、電圧発生回路１３から直流電圧の供給を受ける。本発明では、主として、このＬリレーＲＹｌが選択信号の検出経路を切り換える切換手段を構成する。
【００１９】
ＨリレーＲＹｈは、付属電話３の接続を、電圧発生回路１３と外線Ｌとの間で切換制御するものであり、オフ状態では外線Ｌに接続されており、オン状態になれば電圧発生回路１３から電源供給を受ける。
なお、上記したファクシミリ装置１の各部は、ＣＰＵなどで構成された信号処理部（不図示）によって制御されており、このファクシミリ装置１には、図示した構成以外に、画像データを記録紙に印字出力する印字出力部、原稿ガイドなどにセットされた原稿を読取走査して画像データに変換する読取走査部、液晶画面等で構成された表示部、本発明の設定手段を構成し、テンキー等の各種の操作キーを有した操作部、ＲＡＭ等で構成され、操作部の操作により設定された選択信号の種別（回線種別）や画像データを記憶する記憶部などを備えている。
【００２０】
このような構成によって、このファクシミリ装置１は、外線Ｌとのファクシミリ通信以外に、通信ケーブルＣを通じたパソコン２とのデータ通信を実現しており、その基本動作を図４にフローチャートで示す。
待機時は、ＣＭＬリレーＲＹｃ、ＴリレーＲＹｔ、ＨリレーＲＹｈのそれぞれはオフ状態、ＬリレーＲＹｌはオン状態になっており、外線Ｌとパソコン２との接続は切断され、電圧発生回路１３からパソコン２側（接続端子Ｔ３側）に、直流電圧（ＤＣ２４Ｖ）が供給されている（Ｓ１００，Ｓ１０１）。
【００２１】
この電源供給により、接続端子Ｔ３側のオフフック（通電）をオフフック検出回路１４ｂで検出すれば、パソコン２側から発呼動作が開始されることを判断できる（Ｓ１０２）。
そして、このファクシミリ装置１に、予め設定されている、パソコン２から通信ケーブルＣを介して送出されて来る選択信号の種別設定（ダイヤル設定）を参照し、その設定がＤＰであれば、これを検出するため、ＬリレーＲＹｌをオン状態のままとして、電圧発生回路１３からの電圧の供給を継続させる（図１参照）。一方、その設定がＤＴＭＦであれば、ＦＡＸモデム１１側でパソコン２から送出されて来るＤＴＭＦを検出するため、ＴリレーＲＹｔをオン側にして外線Ｌを切り離し、ＬリレーＲＹｌをオフ、ＨリレーＲＹｈをオン、ＣＭＬリレーＲＹｃをオンとして、ＦＡＸモデム１１にＰＣモデム２１が接続されるようにする（図２参照）（Ｓ１０３，Ｓ１０４）。このように本発明では、選択信号の種別の参照時に、ＬリレーＲＹｌなどによって、その検出経路を自動的に切り換えておく。
【００２２】
次いで、パソコン２から通信ケーブルＣを介して、ＤＴＭＦあるいはＤＰを検出すれば、上記選択信号の種別設定がＤＰの場合でも、ＴリレーＲＹｔをオン側にして外線Ｌを切り離し、ＬリレーＲＹｌをオフ、ＨリレーＲＹｈをオン、ＣＭＬリレーＲＹｃをオンとして、ＦＡＸモデム１１とＰＣモデム２１間の通信を可能とする（Ｓ１０５，Ｓ１０６）。
【００２３】
本発明では、ＤＰの検出時は、通信ケーブルＣ側に電圧発生回路１３から直流電圧が供給されているので、オフフック検出回路１４ｂで、パルスの断続を検出することができる。また、一方のＤＴＭＦの検出時は、ＦＡＸモデム１１側に設けられたＤＴＭＦレシーバ（不図示）によって周波数信号が検出できるので、電圧発生回路１３による消費電力が節約できる。このように、このファクシミリ装置１では、パソコン２から送出されて来る選択信号の検出時に、双方の信号の監視を行う必要がないため、処理の簡素化が図れる。
【００２４】
ＤＰあるいはＤＴＭＦを検出した後は、ＦＡＸモデム１１によって、通信ケーブルＣを通じて送出されて来るファクシミリ手順信号を監視し、ＣＮＧ（発呼トーン）を検出したときには、パソコン２側からのデータ送信であると判断し、ＰＣプリント処理を自動的に起動して、ＦＡＸモデム１１によって受信した画像データを所定の記録紙に印字出力する一方、ＣＥＤ（被呼局識別信号）を検出したときには、パソコン２側のデータ受信であると判断し、ＰＣスキャン処理を自動的に起動して、読取走査した画像データをＦＡＸモデム１１からＰＣモデム２１に対して送出し、これをパソコン２のＣＲＴ画面などに表示させる（Ｓ１０７〜Ｓ１０９）。
【００２５】
なお、ここでは、ＣＮＧを検出したときに、ＰＣプリント処理を自動的に起動し、ＣＥＤを検出したときに、ＰＣスキャン処理を自動的に起動するようにしているが、本発明はこれには限定されず、ＤＴＭＦあるいはＤＰを検出してから、所定時間の間（例えば３秒間）何等信号を検出しなければ、ＰＣプリント処理を起動したり、ＣＥＤ，ＤＩＳ（ディジタル識別信号），ＮＳＦ（非標準機能識別信号）の何れかあるいは全てを検出したときに、ＰＣスキャン処理を起動するようにしてもよい。
【００２６】
また、このフローチャートでは、パソコン２から外線Ｌを呼び出す場合も示している。外線Ｌを接続する場合は、オフフック検出回路１４ｂによるオフフック検出（Ｓ１０２）から所定時間の間（例えば５秒）、ＤＴＭＦあるいはＤＰを検出せず、この所定時間が経過すれば、ＴリレーＲＹｔをオフ、ＬリレーＲＹｌをオフにしてパソコン２側と外線Ｌとを接続し、ＨリレーＲＹｈをオン、ＣＭＬリレーＲＹｃをオフとして、ＰＣモデム２１による外線Ｌへの発呼、通信を可能とする。そして、接続端子Ｔ３側のオフフックの検出が停止、つまり、回線電流が流れなくなるまで、各制御リレーＲＹｃ，ＲＹｔ，ＲＹｌ，ＲＹｈの状態を保持する（Ｓ１１０〜Ｓ１１２）。
【００２７】
【発明の効果】
以上の説明から理解されるように、請求項１〜請求項３に記載の本発明のファクシミリ通信装置によれば、予め、外部端末装置から送出されて来る選択信号の種別を設定しておけば、この設定に基づいて、切換手段の制御リレーを切換制御して、選択信号の検出経路を切り換えることができるので、待機時は、設定されている選択信号のみの検出処理を行えばよく、構成を簡略化できる。また、外部端末装置から送出されて来るダイヤルパルスの検出を、既存のオフフック検出回路を用いて行うことができるので、新たな回路を設ける必要がない。
【００２８】
更に、請求項２に記載の本発明のファクシミリ装置によれば、ファクシミリ装置でプリント処理やスキャナ処理が実行できるので、外部端末装置の周辺機器として利用でき、請求項３では、外線端子を使用して、外部端末装置から外線への呼出、外線との通信ができる。
【図面の簡単な説明】
【図１】本発明に係る通信端末装置の要部構成の一例を示したブロック図である（ＤＰ検出時）。
【図２】本発明に係る通信端末装置の要部構成の一例を示したブロック図である（ＤＴＭＦ検出時）。
【図３】本発明に係る通信端末装置を備えた通信システムの構成の一例を示す図である。
【図４】本発明に係る通信端末装置の基本動作の一例を示すフローチャートである。
【符号の説明】
１・・・ファクシミリ装置（本発明に係る通信端末装置）
１１・・・ＦＡＸモデム
１２・・・呼出信号検出回路
１３・・・電圧発生回路
ＲＹｃ・・・ＣＭＬリレー
ＲＹｔ・・・Ｔリレー
ＲＹｌ・・・Ｌリレー
ＲＹｈ・・・Ｈリレー
Ｔ１〜Ｔ３・・・接続端子
２・・・パソコン（外部端末装置）
２１・・・ＰＣモデム
Ｃ・・・通信ケーブル
Ｌ・・・外線
３・・・付属電話
【図１】
0003642133.tif 000002
【図２】
0003642133.tif 000003
【図３】
0003642133.tif 000004
【図４】
0003642133.tif 000005